(57)【要約】【課題】容器に充填された噴射剤により粉体を噴霧可能にする粉体噴射器を提供する。【解決手段】噴射剤が充填された容器に設けられたステム式バルブと、容器から突出するステム３１に基端部が嵌着すると共に、粉体が充填されるカプセル収納筒１０と、このカプセル収納筒に基端部が着脱自在に装着されると共に、カプセル収納筒１０に連通する噴射口２２ａを先端に有する押下げ操作ヘッド２０とを備え、この押下げ操作ヘッドが、カプセル収納筒１０に装着された状態で押下げ操作されると、このカプセル収納筒によりステム３１が押下げられることにより、針１４，２３でカプセル１９が穿孔されて噴射剤により発生される加圧気流で粉体が噴射口２２ａから噴射される。【選択図】          図１
2004148051.tif 000002
【特許請求の範囲】
【請求項１】
噴射剤が充填された容器に設けられたステム式バルブと、前記容器から突出するステムに基端部が嵌着すると共に、粉体が充填される粉体充填筒と、この粉体充填筒に基端部が着脱自在に装着されると共に、前記粉体充填筒に連通する噴射口を先端に有する押下げ操作ヘッドとを備え、
この押下げ操作ヘッドが、前記粉体充填筒に装着された状態で押下げ操作されると、この粉体充填筒により前記ステムが押下げられることにより、前記噴射剤により発生される加圧気流で前記粉体が前記噴射口から噴射されることを特徴とする粉体噴射器。
【請求項２】
粉体充填筒が、粉体を充填したカプセルを収納するカプセル収納筒として形成され、
このカプセル収納筒及び押下げ操作ヘッドの少なくとも一方に、前記カプセルを穿孔する針が設けられていることを特徴とする粉体噴射器。
【請求項３】
ステム式バルブが、押下げ操作ヘッドの押下げ操作により一定量の噴射剤を噴射させる定量バルブであることを特徴とする請求項１又は請求項２記載の粉体噴射器。
【請求項４】
押下げ操作ヘッドの先端部分が、鼻腔挿入用に上向きのテーパ部として形成されると共に、カプセルに粉状薬剤が充填されていることを特徴とする請求項１又は請求項２又は請求項３記載の粉体噴射器。
【請求項５】
押下げ操作ヘッドが、その先端部分を口腔用として途中で縦方向から横方向へ曲げられると共に、カプセルに粉状薬剤が充填されていることを特徴とする請求項１又は請求項２又は請求項３記載の粉体噴射器。
【請求項６】
容器に噴射剤として圧縮空気が充填されていることを特徴とする請求項１又は請求項２又は請求項３記載の粉体噴射器。
【請求項７】
容器に噴射剤でエアゾールとして噴射される内容液が充填されていることを特徴とする請求項１又は請求項２又は請求項３記載の粉体噴射器。
【発明の詳細な説明】
【０００１】
【発明の属する技術分野】
本発明は、粉体充填筒に充填された粉体を手動操作で発生される加圧気流により噴射口から噴射させるための粉体噴射器に関するものである。
【０００２】
【従来の技術】
特許文献１〜３等により、鼻孔又は口腔に粉状薬剤を噴霧するために、薬剤が充填されたカプセルをポンプ先端部のカプセル収納部に収納し、付属の針でカプセルを穿孔した状態でポンプを手動操作して、加圧気流でカプセル収納部の蓋部の噴射孔から粉状薬剤を噴射投与する粉体噴射器が周知となっている。
【０００３】
【特許文献１】
特開昭５９−３４２６７号公報
【特許文献２】
特開平３−６６３８２号公報
【特許文献３】
特開平９−９９０８１号公報
【０００４】
【発明が解決しようとする課題】
これにより、薬剤を鼻孔又は口腔の奥に投与することができるが、ポンプの操作具合により加圧気流が変動し易く、また定流量で連続噴射させようとするとポンプの容積が相応に大きくなる問題がある。一方、噴射剤により液状薬剤をエアゾールとして噴射させるように、噴射口付の押下げ操作ヘッドで押下げられるステム式バルブが設けられたエアゾール容器が汎用されている。
【０００５】
本発明は、このような点に鑑みて、容器に充填された噴射剤により粉体を噴霧可能にする粉体噴射器を提供することを目的とする。
【０００６】
【課題を解決するための手段】
本発明は、この目的を達成するために、請求項１により、噴射剤が充填された容器に設けられたステム式バルブと、容器から突出するステムに基端部が嵌着すると共に、粉体が充填される粉体充填筒と、この粉体充填筒に基端部が着脱自在に装着されると共に、粉体充填筒に連通する噴射口を先端に有する押下げ操作ヘッドとを備え、この押下げ操作ヘッドが、粉体充填筒に装着された状態で押下げ操作されると、この粉体充填筒によりステムが押下げられることにより、噴射剤により発生される加圧気流で粉体が噴射口から噴射されることを特徴とする。
【０００７】
押下げ操作ヘッドが押下げ操作されるとステム式バルブが開放されることにより、粉体充填筒に充填された粉体が、噴射剤により発生される加圧気流で噴射口から噴射される。請求項２により、粉体充填筒が、粉体を充填したカプセルを収納するカプセル収納筒として形成され、このカプセル収納筒及び押下げ操作ヘッドの少なくとも一方に、カプセルを穿孔する針が設けられていることにより、カプセル充填の粉体が押下げ操作で噴射可能となる。
【０００８】
【発明の実施の形態】
図１及び図２を基に本発明の実施の形態の一例による粉体噴射器を説明する。この粉体噴射器は、噴射剤として圧縮空気が充填された容器１と、その頭部に設けられたステム式バルブ３と、容器頭部から突出するステム３１に基端部で嵌着すると共に、粉状薬剤が充填されたカプセル１９を収納する粉体充填筒としてのカプセル収納筒１０と、このカプセル収納筒の外周面に着脱自在に装着される内径の筒部２１、その先方の先端部をテーパ状に形成して、上向きの噴射口２２ａを有する鼻腔挿入用テーパ部２２及び筒部２１の下端部にフランジ状の押下げ操作部２６を備えた押下げ操作ヘッド２０とを備えている。
【０００９】
カプセル収納筒１０は、カプセル１９を上方へ突出状態で収納する対応内径の筒状のカプセル収納部１６を備えると共に、その底部には、通気路が縦断する針１４を突設させる針嵌着部１４ａ及びその下方に連通路１２を介して形成されたステム嵌着部１１を備え、またこのステム嵌着部の下端部には押下げ操作部２６に当接するフランジ部１７が突設されている。
【００１０】
押下げ操作ヘッド２０の下側半分に形成された筒部２１は、カプセル収納筒１０の外周にスライド可能に装着され、かつカプセル１９の突出部分を収納し得る高さに設定されると共に、筒部２１の上部には、通気路が縦断する針２３が下向きに形成され、カプセル１９の上端部分を侵入させる相対的に小さな内径の筒状のカプセル穿孔室２４が形成されている。このカプセル穿孔室は、テーパ部２２の通気路２２ｂを介して噴射口２２ａに連通している。
【００１１】
ステム式バルブ３は、図２に示すように、容器１の頂部外周面に装着されるマウンティングキャップ２のボス部２ａに係合するハウジング３０に、定量バルブとして構成されている。このハウジングの先端開口部とボス部２ａの裏面との間には環状のステムガスケット３３が保持されることにより、ボス部２ａに摺動可能に挿通されたステム３１のステム孔３２をシールしている。ハウジング３０の縦方向の中間位置には、ステム３１のガイド孔３４ａを有するリブ３４ｂ付のフランジ状隔壁３４が形成されている。この隔壁及びステム３１の中間位置のフランジ部３１ａ間には、このフランジ部をステムガスケット３３に圧接させるように、ステム３１を先方へ付勢コイルばね３５が装填されている。
【００１２】
ハウジング３０の下方領域となる隔壁３４及び筒状の入口部３７の先端部３７ａ間には、中心部に定量用の弁口３８ａを形成する例えばゴム製の瀘斗状シール部材３８が装着されている。ステム３１の基端側の弁棒部３６は、通常位置で弁口３８ａの近辺位置を占めて弁口３８ａを開放させるように設定されている。一方、ステム３１の下動時に、ステム孔３２の開口直前に弁棒部３６が弁口３８ａを閉鎖するようになっている。ハウジング３０には、弁口３８ａよりも先方に、圧縮ガスを充填するための室３０１が形成される。
【００１３】
製造段階で、圧縮ガスが、ボス部２ａのステム３１の周囲からステムガスケット３３を強制的に変形させて容器１に圧入される。これにより、ステム３１の通常位置では、開放している弁口３８ａを通して入口部３７から室３０１に圧縮ガスが充填されている。弁棒部３６が弁口３８ａを閉鎖する押し下げ操作位置までステム３１が押し下げ操作されると、弁口３８ａの閉鎖直後からステム孔３２がステムガスケット３３により開放される。これにより、所定の充填圧力でカプセル１９内の粉状薬剤が略完全に噴射し得るように、室３０１の容積で規定される定量の圧縮ガスがステム３１から吐出され、ステム３１の復帰時には、ステム孔３２の閉鎖後に弁口３８ａが開放される。
【００１４】
このように構成された粉体噴射器の動作は次の通りである。カプセル収納筒１０にカプセル１９を挿入して押下げ操作ヘッド２０を差込む。その先端部のテーパ部２２を鼻腔に挿入して、押下げ操作部２６を押下げ操作すると、押下げ操作ヘッド２０が下方へスライドしてフランジ部１７に当接して、ステム３１が押下げられる。その押下げ操作過程で、カプセル１９はその下端部が針１４に当たり、また上端部が針２３に当たって穿孔されると共に、ステム３１が開放された時点で吐出される圧縮空気により、粉状薬剤が加圧気流に乗って噴射口２２ａから鼻腔内へ噴射される。
【００１５】
その際、一定量の圧縮空気の吐出により、圧縮空気が余分に消費されることなく、カプセル１９内の粉状薬剤が略完全に一定の加圧気流下で噴射される。圧縮空気の利用により、薬剤或は人体に対する悪影響は確実に回避される。
【００１６】
図３は別の実施の形態による粉体噴射器を示すもので、押下げ操作ヘッド４０の先端部４１が横方向へ曲げられて口腔用としてＬ字形に構成されている。押下げ操作ヘッド４０のコーナ部よりも基端側は、前述の押下げ操作ヘッドと同様に構成され、そのカプセル穿孔室２４内に針２３が下向きに形成されている。一方、コーナ部及び噴射口４２間の途中には、過剰な量の粉状薬剤で咽るのを防止するために、多数の小孔が穿孔されたディスク状フィルタ４５が配置されている。断面図では、小孔を拡大して図示している。
【００１７】
カプセル収納筒１０にカプセルを挿入して押下げ操作ヘッド４０を差込み、先端部を口腔へ挿入して、押下げ操作ヘッド４０の上端面を押下げ操作すると、押下げ操作ヘッド４０の下端部のフランジ部４６がフランジ部１７に当接する。その押下げ操作過程で、カプセルが穿孔されて、圧縮空気により粉状薬剤が噴射口４２から口腔内へ噴射される。
【００１８】
前述の実施の形態では、針がカプセルに対して上下の両側に位置したが、カプセルよりも長い針をいずれか一方に設けるように構成することもできる。その際、押下げ操作ヘッドの内周面にねじ山を形成して粉体充填筒の外周面に螺合させるようにし、ステムの押下げ操作前に、ねじ込みによる下降によりカプセルを予め針で壊すように構成することもできる。
【００１９】
尚、ステム式バルブは、定量式でなく、押下げ操作中、連続的に噴射剤を噴射させる通常タイプのものを採用することも当然可能である。また、粉体充填筒は、カプセル収納式に構成することなく、針を廃止して粉体を直接充填することもできる。これにより、充填された任意の量の粉体、例えば殺虫剤、制汗剤等を通常タイプのステム式バルブで、粉体が全量噴射されるまで連続的に噴射させることができる。噴射剤としては、圧縮空気でなく、窒素ガス、亜酸化窒素ガス、炭酸ガス等の使用も考えられる。さらに、容器内に噴射剤で噴射される内容液も充填しておき、粉体と内容液との混合状態で噴射させることもできる。
【００２０】
【発明の効果】
請求項１の発明によれば、粉体を押下げ操作ヘッドの押下げ操作により、所定の噴射圧で噴射させることが可能となる。請求項２の発明によれば、カプセルに充填された粉体を押下げ操作により噴射させることが可能となる。請求項３の発明によれば、定量バルブにより一定量の噴射剤で粉体が噴霧可能となる。請求項４又は請求項５の発明によれば、鼻腔用又は口腔用としてカプセルに充填されている粉状薬剤が内部に確実に噴射される。請求項６の発明によれば、圧縮空気を噴射剤とすることにより、種々の粉体を無害或は変性させることなく、安価な装置で噴射可能となる。請求項７の発明によれば、エアゾールを粉体に混合することが可能となる。
【図面の簡単な説明】
【図１】本発明の実施の形態による粉体噴射器の断面図である。
【図２】同粉体噴射器の定量型のステム式バルブの断面図である。
【図３】別の実施の形態による粉体噴射器を示すもので、同図Ａは主要部を部分的に破断した側面図、同図Ｂはそのフィルタの正面図である。
【符号の説明】
１  容器
３  ステム式バルブ
１０  粉体充填筒としてのカプセル収納筒
１４，２３  針
１９  カプセル
２０，４０  押下げ操作ヘッド
２２ａ，４２  噴射口
２６  押下げ操作部
３１  ステム
３２  ステム孔
３６  弁棒部
３８  瀘斗状シール部材
３８ａ  弁口
【図１】
2004148051.tif 000003
【図２】
2004148051.tif 000004
【図３】
2004148051.tif 000005